(57)【要約】      （修正有）【課題】ペレットストーブ本体および煙突からの熱により災害時に容易かつ迅速に湯沸かしを行えると共に、ペレットストーブ本体からの熱によって暖をとることができる災害時対応型ペレットストーブを提供する。【解決手段】災害時対応型ペレットストーブ１は、ペレットストーブ本体２と、ペレットストーブ本体と連通した煙突３と、ペレットストーブ本体に隣接すると共に煙突の周りに設けられた湯沸かし部４を有している。湯沸かし部は、煙突の全周を取り囲むように構成され、ペレットストーブ本体は、内部にオーブントースター部５を、上部にコンロ部６を有しているのが好ましい。【選択図】図１
0003190269.tif 000002
【実用新案登録請求の範囲】
【請求項１】
ペレットストーブ本体と、該ペレットストーブ本体と連通した煙突と、前記ペレットストーブ本体に隣接すると共に前記煙突の周りに設けられた湯沸かし部を有していることを特徴とする災害時対応型ペレットストーブ。
【請求項２】
前記湯沸かし部は、前記煙突の全周を取り囲むように構成されている請求項１に記載の災害時対応型ペレットストーブ。
【請求項３】
前記ペレットストーブ本体は、内部にオーブントースター部を有している請求項１または２に記載の災害時対応型ペレットストーブ。
【請求項４】
前記ペレットストーブ本体は、上部にコンロ部を有している請求項１ないし３のいずれかに記載の災害時対応型ペレットストーブ。
【請求項５】
前記湯沸かし部は、前記煙突を軸として回転することにより上端開口部を露呈させる蓋体を有している請求項１ないし４のいずれかに記載の災害時対応型ペレットストーブ。
【請求項６】
前記湯沸かし部は、注湯用蛇口を有している請求項１ないし５のいずれかに記載の災害時対応型ペレットストーブ。
【請求項７】
前記湯沸かし部は、ステンレスにて構成されている請求項１ないし６のいずれかに記載の災害時対応型ペレットストーブ。
【請求項８】
前記災害時対応型ペレットストーブは、前記オーブントースター部内に配置される調理台を備え、該調理台は脚部と該脚部の上部に固定された台座部とを有している請求項３ないし７のいずれかに記載の災害時対応型ペレットストーブ。
【請求項９】
前記コンロ部は、ペレットストーブ本体の上端面に形成された開口部と、該開口部内に嵌入される凹部を備えた天板部と、該天板部に載置される筒状体とを有している請求項４ないし８のいずれかに記載の災害時対応型ペレットストーブ。
【請求項１０】
前記煙突は、空気量調節バルブを有している請求項１ないし９のいずれかに記載の災害時対応型ペレットストーブ。
【請求項１１】
前記煙突は、複数の分割体から構成されており、前記ペレットストーブ本体は前記分割体を収納する煙突収納部を有している請求項１ないし１０のいずれかに記載の災害時対応型ペレットストーブ。
【考案の詳細な説明】
【技術分野】
【０００１】
本考案は、災害時に求められる調理機能を多数備えた災害時対応型ペレットストーブに関するものである。
【背景技術】
【０００２】
ペレットストーブは、燃料であるペレットが安価であることに加え、長期保存が可能であることなどから、近年、特に寒冷地では暖房装置として見直され多用されている。
【０００３】
他方、地震や水害などの災害時には、ガス、電気などのライフラインが断たれることがあり、災害時に速やかに暖をとることができ、煮炊きもできる災害時対応型暖房装置が嘱望されている。
【０００４】
この災害時対応型暖房装置として使用可能な装置としては、例えば特許第３７１７８９２号公報の薪焚き調理ストーブなどが提案されている。
【０００５】
この薪焚き調理ストーブはストーブ本体がオーブン機能を備えており、調理可能であるが、災害時にまず求められる湯沸かしを容易に行える構造を有するものでなかった。
【先行技術文献】
【特許文献】
【０００６】
【特許文献１】特許第３７１７８９２号公報
【考案の概要】
【考案が解決しようとする課題】
【０００７】
そこで、本考案の課題は、災害時に容易かつ迅速に湯沸かしを行えると共に暖をとることができる災害時対応型ペレットストーブを提供することにある。
【課題を解決するための手段】
【０００８】
上記課題を解決するものは、ペレットストーブ本体と、該ペレットストーブ本体と連通した煙突と、前記ペレットストーブ本体に隣接すると共に前記煙突の周りに設けられた湯沸かし部を有していることを特徴とする災害時対応型ペレットストーブである。
【０００９】
前記ペレットストーブ本体は、内部にオーブントースター部を有していることが好ましい。前記ペレットストーブ本体は、上部にコンロ部を有していることが好ましい。前記湯沸かし部は、前記煙突を軸として回転することにより、上端開口部を露呈させる蓋体を有していることが好ましい。前記湯沸かし部は、注湯用蛇口を有していることが好ましい。前記湯沸かし部は、ステンレスにて構成されていることが好ましい。前記災害時対応型ペレットストーブは、前記オーブントースター部内に配置される調理台を備え、該調理台は脚部と該脚部の上部に固定された台座部とを有していることが好ましい。前記コンロ部は、ペレットストーブ本体の上端面に形成された開口部と、該開口部内に嵌入される凹部を備えた天板部と、該天板部に載置される筒状体とを有していることが好ましい。前記煙突は、空気量調節バルブを有していることが好ましい。前記煙突は、複数の分割体から構成されており、前記ペレットストーブ本体は前記分割体を収納する煙突収納部を有していることが好ましい。
【考案の効果】
【００１０】
請求項１に記載した考案によれば、ペレットストーブ本体および煙突からの熱により災害時に容易かつ迅速に湯沸かしが行えると共に、室内の湿度を上げて、ペレットストーブ本体からの熱によって速やかに暖をとることができる。
請求項２に記載した考案によれば、より迅速に湯沸かしを行なうことができる。
請求項３に記載した考案によれば、前記請求項１の効果に加え、トースト、焼き物など、オーブントースター部による多彩な料理がペレットストーブにて調理できる。
請求項４に記載した考案によれば、前記請求項１または２の効果に加え、煮物、焼き物など、コンロ部による多彩な料理がペレットストーブにて調理できる。
請求項５に記載した考案によれば、簡素な構造で使い易い水注入口を構成できる。
請求項６に記載した考案によれば、湯沸かし部から所要量の湯を容易に注出できる。
請求項７に記載した考案によれば、防錆性に優れた湯沸かし部を低廉に構成できる。
請求項８に記載した考案によれば、調理台の使用方法によって、より多彩な料理がオーブントースター部で調理できる。
請求項９に記載した考案によれば、コンロ部の使用方法によって、より多彩な料理がコンロ部で調理可能となる。
請求項１０に記載した考案によれば、暖房や調理に際して、ペレットストーブ本体および煙突からの放出熱を容易にコントロールすることができる。
請求項１１に記載した考案によれば、煙突をコンパクトに収納して保管または搬送容易な災害時対応型ペレットストーブを構成できる。
【図面の簡単な説明】
【００１１】
【図１】本考案の災害時対応型ペレットストーブの一実施例の正面図である。
【図２】図１の左側面図である。
【図３】図１の背面図である。
【図４】図１の平面図である。
【図５】図１に示した災害時対応型ペレットストーブの蓋体の作用を説明するための平面図である。
【図６】図１に示した災害時対応型ペレットストーブのコンロ部の一使用例を説明するための平面図である。
【図７】図１に示した災害時対応型ペレットストーブのコンロ部の一使用例を説明するための正面図である。
【図８】図１に示した災害時対応型ペレットストーブのコンロ部を構成する天板部の取り扱い用具を説明するための斜視図である。
【図９】図１に示した災害時対応型ペレットストーブのオーブントースター部の一使用例を説明するための正面図である。
【図１０】図１に示した災害時対応型ペレットストーブのオーブントースター部の他の使用例を説明するための正面図である。
【考案を実施するための形態】
【００１２】
本考案では、ペレットストーブ本体２と、ペレットストーブ本体２と連通した煙突３と、ペレットストーブ本体２に隣接すると共に煙突３の周りに設けられた湯沸かし部４を有することで、ペレットストーブ本体２および煙突３からの熱により災害時に容易かつ迅速に湯沸かしが行えると共に、湿度を上げてペレットストーブ本体２からの熱によって速やかに暖をとることができる災害時対応型ペレットストーブ１を実現した。
【実施例１】
【００１３】
本考案の災害時対応型ペレットストーブを図１ないし図１０に示した一実施例を用いて説明する。
この実施例の災害時対応型ペレットストーブ１は、ペレットストーブ本体２と、ペレットストーブ本体２と連通した煙突３と、ペレットストーブ本体２に隣接すると共に煙突３の周りに設けられた湯沸かし部４と、オーブントースター部５と、コンロ部６と、煙突収納部７とを有している。以下、各構成について順次詳述する。
【００１４】
ペレットストーブ本体２は、図１中右側上部付近にペレット燃焼部８を備えており、ペレット燃焼部８におけるペレットの燃焼で炎や熱風がペレットストーブ本体２内に充満し煙は煙突３の上端開口から外部に排出されるように構成されている。
【００１５】
ペレットストーブ本体２の図１中右上には、ペレット燃焼部８と連通する上部開口を封止する載置蓋９が載置されており、ペレットをペレット燃焼部８内に挿入する場合は、この載置蓋９が封止する上部開口からペレットを挿入するように構成されている。
【００１６】
ペレット燃焼部８内のペレットは助燃剤と共に燃焼し、焼却灰はペレット燃焼部８の下部に設けられた灰処理部１０に落下して外部に排出可能に構成されている。
【００１７】
ペレット燃焼部８における火力調整は、煙突３に設けられた空気量調節バルブ１１によってペレット燃焼部８内の空気量が調整されることにより調整することができる。具体的には、図２に示した空気量調節バルブ１１の回動操作部１２を回動することにより、煙突３内のバルブの閉塞度が変動して煙突３からのペレット本体２内への空気量が調整され、ペレット燃焼部８における火力調整がなされるように構成されている。ペレットストーブ本体２の背面側には、図３に示すように、ペレットストーブ本体２内における燃焼の様子を外部から目視できるように、耐熱性透明材料にて形成された窓部２ａが設けられている。
【００１８】
煙突３はペレットストーブ本体２と連通しており、ペレット燃焼部８で燃焼したペレットからの煙を外部へ排出させると共に、空気量調節バルブ１１によってペレットストーブ本体２（ペレット燃焼部８）内の空気量を調整するように作用する。
【００１９】
この実施例の煙突３は、図２に示すように、複数の分割体３Ａ，３Ｂ，３Ｃから構成されており、災害時対応型ペレットストーブ１の不使用時には、保管や搬送のために、分割体３Ａ，３Ｂ，３Ｃをペレットストーブ本体２の煙突収納部７内に収納可能に構成されている。
【００２０】
湯沸かし部４は、湯を沸かす部位であり、ペレットストーブ本体２に隣接すると共に煙突３の周りに設けられている。具体的には、この実施例の湯沸かし部４は、長方体であるペレットストーブ本体２の一端側（図１中左側）上部に載置された箱体にて構成されており、中央部に煙突３が貫通して煙突３の周りに設けられている。このように、本考案の災害時対応型ペレットストーブは、湯沸かし部４がペレットストーブ本体２に隣接すると共に煙突３の周りに設けられているため、ペレットストーブ本体２および煙突３からの熱により災害時に容易かつ迅速に湯沸かしを行うことができる。
【００２１】
なお、この実施例の湯沸かし部４は、中央部に煙突３が貫通して煙突３の全周に設けられている。これによって、湯沸かし部４内の水が煙突からの熱をより吸収してより迅速に湯沸かしを行うことができる。
【００２２】
湯沸かし部４は、図４または図５に示すように、上端開口部４ａを被覆する蓋体４ｂを有しており、摘み４ｄを摘んでこの蓋体４ｂを煙突３を軸として回転させることにより、上端開口部４ａを露呈させることができるように構成されている。そして、図５の状態で上方より湯沸かし部４内に水を注入できるように構成されている。
【００２３】
湯沸かし部４の側部には、注湯用蛇口４ｃが設けられており、これにより、湯沸かし部４から所要量の湯を容易に注出できるように構成されている。また、湯沸かし部４は、ステンレスにて構成されており、これにより、防錆性に優れた湯沸かし部４が低廉に構成される。
【００２４】
オーブントースター部５は、トーストや焼き物などを調理できる部位であり、ペレットストーブ本体２内の図１中左側に構成された略長方体の密閉空間で構成され、正面側には、一端側（図９中左端側）を蝶番１３にて開閉自在に取り付けられ透明性材料にて構成された開閉扉１４が設けられている。
【００２５】
オーブントースター部５は、ペレットストーブ本体２内において、横（オーブントースター部５を構成する密閉空間の右側）および上下からの熱で内部の調理材料が調理可能に構成されており、図９のように、四方に設けられた脚部１５ａと脚部１５ａの上部に固定された台座部１５ｂとからなる調理台１５がオーブントースター部２内に配置されている。
【００２６】
そして、図９に示した状態で、台座部１５ｂ上に調理材料（例えば鳥肉）を載置することにより、焼き物（例えば鳥の丸焼き）を調理することができるように構成されている。また、図１０に示すように、調理台１５の天地を変えて脚部１５ａの上部に金網１６を載置し、その上に食パンなどを載置すれば短時間でトーストにすることができるよう構成されている。さらに、図１に示すように、オーブントースター部５内から調理台１５を除去し、耐熱容器に盛られた料理（例えばグラタンやドリアなど）を載置すれば焼き物を調理することができるよう構成されている。
【００２７】
コンロ部６は、煮物、焼き物などを調理するための部位であり、ペレットストーブ本体２の上部に設けられている。具体的には、この実施例のコンロ部６は、図７に示すように、ペレットストーブ本体２の上端面に形成された開口部６ａと、開口部６ａ内に嵌入される凹部を備えた天板部６ｂと、天板部６ｂに載置される筒状体６ｃとを有している。
【００２８】
そして、天板部６ｂは鉄板にて構成されており、この天板部６ｂの上面で焼き肉等の焼き物を調理することができ、また、天板部６ｂの上面に鍋を載置して煮物などを調理することができる。なお、天板部６ｂは、図８に示すように、天板部６ｂの上部に設けられたフランジの下面に係合する一対の係合部１７ａ，１７ｂを備えた取り扱い用具１７により把持して移動可能に構成されている。
【００２９】
さらに、コンロ部６では、図６または図７に示すように、天板部６ｂの上面に例えば桜チップなどの燻煙材を収容した燻煙材収納容器１８を載置し、さらに筒状体６ｃを天板部６ｂの上面に載置して周りを囲み、金網１９を燻煙材収納容器１８に載置した上で、金網１９の上に食品を載置し、筒状体６ｃの上面をアルミホイルで被覆して燻すことで燻製を作製することも可能である。
【００３０】
以上のように、本考案の災害時対応型ペレットストーブによれば、湯沸かし部にてペレットストーブ本体および煙突からの熱により災害時に容易かつ迅速に湯沸かしが可能であると共に、この実施例のように、ペレットストーブ本体からの熱によって調理可能なオーブントースター部やコンロ部を併設することにより、万能調理型のペレットストーブを構成することができる。
【符号の説明】
【００３１】
１      災害時対応型ペレットストーブ
２      ペレットストーブ本体
２ａ    窓部
３      煙突
３Ａ    分割体
３Ｂ    分割体
３Ｃ    分割体
４      湯沸かし部
４ａ    上端開口部
４ｂ    蓋体
４ｃ    注湯用蛇口
４ｄ    摘み
５      オーブントースター部
６      コンロ部
６ａ    開口部
６ｂ    天板部
６ｃ    筒状体
７      煙突収納部
８      ペレット燃焼部
９      載置蓋
１０    灰処理部
１１    空気量調節バルブ
１２    回動操作部
１３    蝶番
１４    開閉扉
１５    調理台
１５ａ  脚部
１５ｂ  台座部
１６    金網
１７    取り扱い用具
１７ａ  係合部
１７ｂ  係合部
１８    燻製材収納容器
１９    金網
【図１】
0003190269.tif 000003
【図２】
0003190269.tif 000004
【図３】
0003190269.tif 000005
【図４】
0003190269.tif 000006
【図５】
0003190269.tif 000007
【図６】
0003190269.tif 000008
【図７】
0003190269.tif 000009
【図８】
0003190269.tif 000010
【図９】
0003190269.tif 000011
【図１０】
0003190269.tif 000012